【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
印刷ジョブを用いて複数の描画データ作成手段の１つに描画データを作成させる情報処理装置であって、
前記描画データ作成手段にそれぞれ対応づけられた複数の記憶手段に記憶された印刷ジョブを取得して描画データを作成する複数の描画データ作成手段と、
１つの印刷ジョブを複数の前記記憶手段にそれぞれ記憶させ、前記１つの印刷ジョブを印刷ジョブ一覧情報に登録する印刷ジョブ登録手段と、
複数の前記記憶手段に記憶された前記１つの印刷ジョブのうち、他よりも早く描画処理の対象となった前記１つの印刷ジョブを記憶する前記記憶手段に対応する前記描画データ作成手段を、前記印刷ジョブ一覧情報の前記１つの印刷ジョブに対応づけて登録する描画データ作成手段決定手段と、を有し、
前記印刷ジョブ登録手段は、前記描画データ作成手段決定手段により前記印刷ジョブ一覧情報に登録されなかった前記描画データ作成手段に対応する前記記憶手段に記憶されている前記１つの印刷ジョブを削除する、ことを特徴とする情報処理装置。
【請求項２】
印刷ジョブは、印刷の設定情報と印刷データを含んでおり、
前記１つの印刷ジョブの前記設定情報を、複数の前記描画データ作成手段用のそれぞれの装置用設定情報に変換する変換手段と、
複数の前記装置用設定情報と前記印刷データから、前記描画データ作成手段を制御するための制御データを、前記描画データ作成手段の数だけ作成する制御データ作成手段と、
複数の前記制御データの差異を検出して、前記差異となった記述を前記描画データ作成手段に対応づけて抽出した差異情報を作成する差異情報作成手段と、を有し、
前記印刷ジョブ登録手段は、前記１つの印刷ジョブとして１つの前記制御データと前記差異情報を取得し、
前記描画データ作成手段決定手段は、前記印刷ジョブ一覧情報の前記１つの印刷ジョブに前記描画データ作成手段を対応づけて登録した場合、登録された前記描画データ作成手段に対応づけられている前記差異情報の前記記述を前記制御データに設定して、登録された前記描画データ作成手段用の前記制御データを作成する、ことを特徴とする請求項１記載の情報処理装置。
【請求項３】
前記差異情報作成手段は、複数の前記描画データ作成手段の前記制御データの記述形式を保持しており、第１の描画データ作成手段において他の第２の描画データ作成手段との前記差異となった前記記述を、前記他の第２の描画データ作成手段の前記制御データの前記記述形式では記述できないと判断した場合、前記差異情報の前記他の第２の描画データ作成手段に対応づけて差異の抽出を行わない旨の情報を登録し、
前記描画データ作成手段決定手段は、複数の前記記憶手段に記憶された前記１つの印刷ジョブが描画処理の対象となった場合でも、描画処理の対象となった前記１つの印刷ジョブを記憶する前記記憶手段に対応する前記描画データ作成手段が、前記他の第２の描画データ作成手段として前記差異情報に登録されている場合、該他の第２の描画データ作成手段を前記印刷ジョブ一覧情報の前記１つの印刷ジョブに対応づけて登録することなく、前記記憶手段に描画処理が許可されない旨を通知する、
ことを特徴とする請求項２記載の情報処理装置。
【請求項４】
前記印刷ジョブ一覧情報にすでに前記描画データ作成手段が登録されている前記１つの印刷ジョブが、前記印刷ジョブ一覧情報に登録されていない他の前記描画データ作成手段に対応する前記記憶手段において描画処理の対象となった場合、
前記描画データ作成手段決定手段は、前記他の前記描画データ作成手段に対応する前記記憶手段に描画処理が許可されない旨を通知する、
ことを特徴とする請求項２記載の情報処理装置。
【請求項５】
前記描画処理が許可されない旨が前記記憶手段に通知された場合、前記印刷ジョブ登録手段は、前記描画処理の対象となった前記１つの印刷ジョブを、前記描画処理が許可されない旨が通知された前記記憶手段から削除する、
ことを特徴とする請求項３又は４記載の情報処理装置。
【請求項６】
前記印刷ジョブ登録手段は、前記１つの印刷ジョブの全ページの描画処理が終了した場合、全ページの描画処理が終了した前記１つの印刷ジョブを記憶していた前記記憶手段から該１つの印刷ジョブを削除する、
ことを特徴とする請求項３又は４記載の情報処理装置。
【請求項７】
外部から印刷ジョブの描画データの作成要求を取得した場合に、前記１つの印刷ジョブを用いて前記印刷ジョブ登録手段に対し描画データの作成要求を出力する、印刷ジョブに専用の描画データ作成要求手段を生成する作成要求手段生成手段を有する、
ことを特徴とする請求項１〜６いずれか１項記載の情報処理装置。
【請求項８】
前記作成要求手段生成手段により生成されたそれぞれの前記描画データ作成要求手段は、他の前記描画データ作成要求手段とは独立に、前記印刷ジョブ登録手段に対し描画データの作成要求を出力する、ことを特徴とする請求項７記載の情報処理装置。
【請求項９】
印刷ジョブを用いて複数の描画データ作成手段の１つに描画データを作成させる情報処理方法であって、
印刷ジョブ登録手段が、１つの印刷ジョブを前記描画データ作成手段にそれぞれ対応づけられた複数の記憶手段にそれぞれ記憶させ、前記１つの印刷ジョブを印刷ジョブ一覧情報に登録するステップと、
複数の前記記憶手段に記憶された前記１つの印刷ジョブのうち、他よりも早く描画処理の対象となった前記１つの印刷ジョブを記憶する前記記憶手段に対応する前記描画データ作成手段を、描画データ作成手段決定手段が、前記印刷ジョブ一覧情報の前記１つの印刷ジョブに対応づけて登録するステップと、
前記印刷ジョブ一覧情報の前記１つの印刷ジョブに対応づけて登録された前記描画データ作成手段が、前記１つの印刷ジョブを用いて描画データを作成するステップと、
前記印刷ジョブ登録手段が、前記描画データ作成手段決定手段により前記印刷ジョブ一覧情報に登録されなかった前記描画データ作成手段に対応する前記記憶手段に記憶されている前記１つの印刷ジョブを削除するステップと、
を有することを特徴とする情報処理方法。
【請求項１０】
印刷ジョブを用いて複数の描画データ作成手段の１つに描画データを作成させる情報処理装置に、
１つの印刷ジョブを前記描画データ作成手段にそれぞれ対応づけられた複数の記憶手段にそれぞれ記憶させ、前記１つの印刷ジョブを印刷ジョブ一覧情報に登録する印刷ジョブ登録ステップと、
複数の前記記憶手段に記憶された前記１つの印刷ジョブのうち、他よりも早く描画処理の対象となった前記１つの印刷ジョブを記憶する前記記憶手段に対応する前記描画データ作成手段を、前記印刷ジョブ一覧情報の前記１つの印刷ジョブに対応づけて登録する描画データ作成手段決定ステップと、
前記印刷ジョブ一覧情報の前記１つの印刷ジョブに対応づけて登録された前記描画データ作成手段に、前記１つの印刷ジョブを用いて描画データを作成させるステップと、
前記描画データ作成手段決定ステップにより前記印刷ジョブ一覧情報に登録されなかった前記描画データ作成手段に対応する前記記憶手段に記憶されている前記１つの印刷ジョブを削除するステップと、を実行させるプログラム。
【請求項１１】
印刷ジョブを用いて複数の描画データ作成手段の１つに描画データを作成させる情報処理装置に、
１つの印刷ジョブを前記描画データ作成手段にそれぞれ対応づけられた複数の記憶手段にそれぞれ記憶させ、前記１つの印刷ジョブを印刷ジョブ一覧情報に登録する印刷ジョブ登録ステップと、
複数の前記記憶手段に記憶された前記１つの印刷ジョブのうち、他よりも早く描画処理の対象となった前記１つの印刷ジョブを記憶する前記記憶手段に対応する前記描画データ作成手段を、前記印刷ジョブ一覧情報の前記１つの印刷ジョブに対応づけて登録する描画データ作成手段決定ステップと、
前記印刷ジョブ一覧情報の前記１つの印刷ジョブに対応づけて登録された前記描画データ作成手段に、前記１つの印刷ジョブを出力するステップと、
前記描画データ作成手段決定ステップにより前記印刷ジョブ一覧情報に登録されなかった前記描画データ作成手段に対応する前記記憶手段に記憶されている前記１つの印刷ジョブを削除するステップと、を実行させるプログラム。